(57)【要約】      （修正有）【課題】耐久性があり、環境にもやさしい眼鏡のフレーム構造を提供する。【解決手段】本体１を備え、本体は、フロント部及びテンプル部からなる。本体には彎曲部１６が設けられ、本体は、交錯内層１１と、少なくとも一つの第一外層１２と、少なくとも一つの第二外層１３とからなる。交錯内層１１は、複数の竹片をプレスしてなり、前記竹片の間には、粘着のり層が塗布される。前記竹片と竹片の間に設けられた繊維層はプレスによって相互に交錯する。交錯内層の一側は、プレスによって第一外層１２に接着され、第一外層の第一木目構造層１２１は、水平模様を呈する。第一外層と交錯内層の間には、第一接着層１２２が設けられる。交錯内層の他側には、プレスによって第二外層１３が接着され、第二外層の第二木目構造層は水平模様を呈する。第二外層１３と交錯内層１１の間には、第二接着層１３２が設けられる。【選択図】図１
0003178798.tif 000002
【実用新案登録請求の範囲】
【請求項１】
本体からなる眼鏡のフレーム構造であって、
前記本体は、交錯内層と、少なくとも一つの第一外層と、少なくとも一つの第二外層とを備え、
前記交錯内層は、複数の竹片をプレスしてなり、前記竹片の間には、粘着のり層が塗布され、
前記第一外層は、前記交錯内層の一側にプレスにて接着され、
前記第一外層と前記交錯内層の間には、第一接着層が設けられ、
前記第二外層は、前記交錯内層の他側にプレスにて接着され、
前記第二外層と前記交錯内層の間には、第二接着層が設けられることを特徴とする、眼鏡のフレーム構造。
【請求項２】
前記竹片と竹片の間に設けられた繊維層は、プレスによって相互に交錯することを特徴とする、請求項１に記載の眼鏡のフレーム構造。
【請求項３】
前記第一外層は、第一木目構造層を備え、第一木目構造層は、水平模様を呈し、前記第二外層は、第二木目構造層を備え、第二木目構造層は水平模様を呈することを特徴とする、請求項１に記載の眼鏡のフレーム構造。
【請求項４】
前記本体には、レンズを嵌め込む取り付け部が設けられ、前記取り付け部には、斜溝或いはＶ型溝が設けられ、本体は、彎曲部、及び、フロント部、及び、テンプル部を備えることを特徴とする、請求項１に記載の眼鏡のフレーム構造。
【請求項５】
前記本体は、フロント、或いは、テンプルであることを特徴とする、請求項１に記載の眼鏡のフレーム構造。
【考案の詳細な説明】
【技術分野】
【０００１】
本考案は眼鏡のフレームに関し、特に耐久性があり、環境にもやさしい眼鏡のフレーム構造に関する。
【背景技術】
【０００２】
近年、個性を求める風潮に加え、環境保護のために質素なスタイルが流行している。それにより、眼鏡の設計にも、竹材が採用されている。しかしながら、竹材は、その繊維の木目構造が、過度の応力を受けたとき、断裂してしまう。このため、従来の竹製の眼鏡は、大きく二種類に分けられる。一つは、単一の厚い竹片（５ｍｍを越える）を切断して整えてなるタイプである。二つ目は、二枚の竹片を相互に交錯させて接着してなるタイプである。
【０００３】
これらの方法は、模様の美しさ、構造の応力のいずれも不十分であり、しかも、加工時に壊れやすい。
【考案の概要】
【考案が解決しようとする課題】
【０００４】
そこで、本考案は、従来の竹製の眼鏡が、模様の美しさ、構造の応力のいずれも不十分であり、しかも、加工時に壊れやすいという問題を解決し、耐久性があり、環境にもやさしい眼鏡のフレーム構造を提供することを目的とする。
【課題を解決するための手段】
【０００５】
上述の目的を達成するため、本考案による眼鏡のフレーム構造は、本体を備え、本体は、フロント、或いは、テンプル、或いは、フロント部及びテンプル部からなる。本体には彎曲部が設けられ、本体には、レンズを嵌め込む取り付け部が設けられ、取り付け部には、斜溝或いはＶ型溝が設けられる。その内、本体は、交錯内層と、少なくとも一つの第一外層と、少なくとも一つの第二外層とからなる。交錯内層は、複数の竹片をプレスしてなり、前記竹片の間には、粘着のり層が塗布される。前記竹片と竹片の間に設けられた繊維層はプレスによって相互に交錯する。交錯内層の一側は、プレスによって第一外層に接着され、第一外層の第一木目構造層は、水平模様を呈する。第一外層と交錯内層の間には、第一接着層が設けられる。交錯内層の他側には、プレスによって第二外層が接着され、第二外層の第二木目構造層は水平模様を呈する。第二外層と交錯内層の間には、第二接着層が設けられる。一回目のプレスによって、竹片と竹片の間の粘着のり層で固定された繊維層が相互に交錯する。この時のプレスは、金型を用いた油圧プレスであり、それによって、交錯内層の構造を強化することができる。
【図面の簡単な説明】
【０００６】
【図１】本考案の実施例１の斜視図である。
【図２】本考案の実施例１の分解図である。
【図２Ａ】本考案の実施例１の交錯内層の実施を示した説明図である。
【図３】本考案の実施例１の断面図である。
【図４】本考案の実施例１の一部の拡大図である。
【図５】本考案の実施例１の実施を示した説明図である。
【図６】本考案の実施例２の斜視図である。
【図７】本考案の実施例３の斜視図である。
【考案を実施するための形態】
【０００７】
（実施例１）
図１、図２、図２Ａ、図３、図４を参照する。図１は、本考案の実施例１の斜視図であり、図２は、本考案の実施例１の分解図であり、図２Ａは、本考案の実施例１の交錯内層の実施を示した説明図であり、図３は、本考案の実施例１の断面図であり、図４は、本考案の実施例１の一部の拡大図である。図から分かるように、本考案の実施例１による眼鏡のフレーム構造は、フロントの本体１からなる。本体１は、彎曲部１６を形成し、本体１は、レンズ２を嵌め込む取り付け部１４を形成し、取り付け部１４は、斜溝１５或いはＶ型溝（図示せず）を備える。その内、本体１は、交錯内層１１と、少なくとも一つの第一外層１２と、少なくとも一つの第二外層１３とからなる。交錯内層１１は、複数の竹片１１１をプレスしてなる。竹片１１１の間には、粘着のり層１１１２が塗布され、竹片１１１と竹片１１１の間に設けられた繊維層１１１１は、プレスによって相互に交錯する。交錯内層１１の一側は、プレスによって第一外層１２に接着され、第一外層１２は、第一木目構造層１２１を備え、第一木目構造層１２１は、水平模様を呈する。なお、第一外層１２と交錯内層１１の間には、第一接着層１２２が設けられる。交錯内層１１の他側は、プレスによって第二外層１３に接着され、第二外層１３は、第二木目構造層１３１を備え、第二木目構造層１３１は水平模様を呈する、なお、第二外層１３と交錯内層１１の間には、第二接着層１３２が設けられる。
【０００８】
上述の構造の組合せ、設計による本考案を使用した時の動作について以下に説明を行う。図２、図２Ａ、図３、図４、図５を参照する。図２は、本考案の実施例１の分解図であり、図２Ａは、本考案の実施例１の交錯内層の実施を示した説明図であり、図３は、本考案の実施例１の断面図であり、図４は、本考案の実施例１の一部の拡大図であり、図５は、本考案の実施例１の実施を示した説明図である。図から分かるように、一回目のプレスで、竹片１１１と竹片１１１の間の粘着のり層１１１２によって固定された繊維層１１１１を相互に交錯させる。この時、プレスは、金型を用いて油圧プレスを行う。それによって、交錯内層１１の構造を強化することができる。また、第一外層１２と第二外層１３は、相互に、第一接着層１２２及び第二接着層１３２と交錯内層１１によって接着され、この時、第一外層１２と第二外層１３の第一木目構造層１２１と第二木目構造層１３１は水平模様を呈する。さらに、二回目のプレスによって、直接、本体１に彎曲部１６を形成させて形を固定する。プレスの力は、８０ポンド／ｃｍ２より大きく、その後、ＣＮＣ旋盤を用いて加工し、本体１の取り付け部１４と斜溝１５を形成させる。なお、取り付け部１４と斜溝１５によってレンズ２を固定することができる。以上の構造により、交錯内層１１が、各方向の応力に抵抗する強度を備えるだけでなく、第一外層１２と第二外層１３によって、水平模様の応力を強化することができ、更に、プレスの模様は自然で美しいため、構造の強化と自然なスタイルの二つの効果を達成することができる。本考案の製作手順を以下に記載する。
【０００９】
（ａ）複数の竹片１１１を用意し、竹片１１１と竹片１１１の間に粘着のり層１１１２を塗布し、油圧金型を用いてプレスを行い、竹片１１１と竹片１１１の間の繊維層１１１１をプレスで相互に交錯させて交錯内層１１を形成させる。
【００１０】
（ｂ）交錯内層１１を用意し、交錯内層１１の両側に、第一接着層１２２と第二接着層１３２を塗布し、竹製材質の第一外層１２と第二外層１３をそれぞれ接着させ、さらに、それを、油圧金型を用いてプレスを行い、半製品の本体１を形成させる。この時、同時に、半製品の本体１の彎曲部１６も形成させる。
【００１１】
（ｃ）半製品の本体１に対してＣＮＣ旋盤で加工を行い、取り付け部１４及び斜溝１５或いはＶ型溝（図示せず）を形成させて、完成品の本体１を形成させる。
【００１２】
（実施例２）
図６も同時に参照する。図６は、本考案の実施例２の斜視図である。図から分かるように、本体１ａはテンプルである。
【００１３】
（実施例３）
図７も同時に参照する。図７は、本考案の実施例３の斜視図である。図から分かるように、本体１ｂには、フロント部１７ｂとテンプル部１８ｂが設けられる。
【００１４】
全ての図を参照する。本考案を使用すると、従来の技術と比較して、以下の利点が存在する。交錯内層１１、第一外層１２、第二外層１３によって水平模様の応力を強化することができる以外に、プレスの模様が自然で美しいため、構造の強化と、自然なスタイルの両者を達成することができる。
【符号の説明】
【００１５】
１、１ａ、１ｂ    本体
１１              交錯内層
１１１            竹片
１１１１          繊維層
１１１２          粘着のり層
１２              第一外層
１２１            第一木目構造層
１２２            第一接着層
１３              第二外層  
１３１            第二木目構造層
１３２            第二接着層
１４              取り付け部
１５              斜溝
１６              彎曲部
１７ｂ            フロント部
１８ｂ            テンプル部
２                レンズ
【図１】
0003178798.tif 000003
【図２】
0003178798.tif 000004
【図２Ａ】
0003178798.tif 000005
【図３】
0003178798.tif 000006
【図４】
0003178798.tif 000007
【図５】
0003178798.tif 000008
【図６】
0003178798.tif 000009
【図７】
0003178798.tif 000010
【手続補正書】
【提出日】平成24年8月1日(2012.8.1)
【手続補正１】
【補正対象書類名】実用新案登録請求の範囲
【補正対象項目名】請求項５
【補正方法】変更
【補正の内容】
【請求項５】
前記本体は、フロント部、或いは、テンプル部を有することを特徴とする、請求項１に記載の眼鏡のフレーム構造。